(57)【要約】      （修正有）【課題】空気浄化器のための塵埃除去装置を提供する。【解決手段】ハウジング１を含み、ハウジング１の一側に作動溝２が開設され、作動溝２の内壁の中部に隔離板３が固定接続され、隔離板３の一側に載物台４が固定接続され、載物台４の一側に漏水孔５が開設され、載物台４の一側に導流溝６が固定接続され、導流溝６の出口位置に出水管が固定接続され、ハウジング１の内壁の頂部に複数個の乾燥ランプが設置され、ハウジング１の内壁の頂部に噴出ヘッド９が固定接続され、噴出ヘッド９の進水口位置に進水管が固定接続され、載物台４における導流溝６と反対側の一側に濾過網１１が設置されている。ハウジング１の一側に支持板が固定接続され、支持板におけるハウジング１寄りの一側にモータが固定接続され、モータの出力端に回転盤１４が固定接続され、回転盤１４におけるモータと反対側の一側に支持フレームが固定接続される。【選択図】図２
0003230051.tif 000002
【実用新案登録請求の範囲】
【請求項１】
ハウジング１を含み、前記ハウジング１の一側に作動溝２が開設され、前記作動溝２の内
壁の中部に隔離板３が固定接続され、前記隔離板３の一側に載物台４が固定接続され、前
記載物台４の一側に漏水孔５が開設され、前記載物台４の一側に導流溝６が固定接続され
、前記導流溝６の出口位置に出水管７が固定接続され、前記ハウジング１の内壁の頂部に
複数個の乾燥ランプ８が設置され、前記ハウジング１の内壁の頂部に噴出ヘッド９が固定
接続され、前記噴出ヘッド９の進水口位置に進水管１０が固定接続され、前記載物台４に
おける導流溝６と反対側の一側に濾過網１１が設置されており、
前記ハウジング１の一側に支持板１２が固定接続され、前記支持板１２におけるハウジン
グ１寄りの一側にモータ１３が固定接続され、前記モータ１３の出力端に回転盤１４が固
定接続され、前記回転盤１４におけるモータ１３と反対側の一側に支持フレーム１５が固
定接続され、前記支持フレーム１５における回転盤１４と反対側の一端にストッパリング
１６が固定接続され、前記ストッパリング１６の下方に保持台１７が設置され、前記スト
ッパリング１６の内壁にフィルタエレメント１８が挿接されており、
前記ハウジング１の一側にシリンダ１９が固定接続され、前記シリンダ１９の出力端に滑
り板２０が固定接続され、前記滑り板２０の対称の両側にそれぞれスライダ２１が固定接
続され、前記滑り板２０におけるシリンダ１９と反対側の一側に集塵ヘッド２２が固定接
続され、前記集塵ヘッド２２の集塵口端に集塵ダクト２３が固定接続され、前記集塵ダク
ト２３における集塵ヘッド２２と反対側の一端に集塵箱２４が固定接続され、前記ハウジ
ング１の内壁および隔離板３における載物台４と反対側の一側にそれぞれ第１滑り溝２５
が開設され、前記第１滑り溝２５の内壁の頂部および底部にそれぞれセンシングボタン２
６が設置されている、ことを特徴とする空気浄化器のための塵埃除去装置。
【請求項２】
前記ハウジング１内部の頂部および底部にそれぞれ相互に位置対応する第２滑り溝２７が
開設され、前記第２滑り溝２７の内壁にそれぞれ引戸２８が滑動可能に接続され、前記ハ
ウジング１の一側に支持脚２９が固定接続され、前記集塵箱２４の一側に蓄塵箱３０が固
定接続されていることを特徴とする請求項１に記載の空気浄化器のための塵埃除去装置。
【請求項３】
前記回転盤１３は作動溝２の内部に位置されており、複数個の前記乾燥ランプ８は均一に
ハウジング１の内壁の頂部に配布されていることを特徴とする請求項１に記載の空気浄化
器のための塵埃除去装置。
【請求項４】
前記集塵ヘッド２２とストッパリング１６とフィルタエレメント１８の円心位置が相互に
一致し、前記集塵ヘッド２２の直径がフィルタエレメント１８の内径より小さくすること
を特徴とする請求項１に記載の空気浄化器のための塵埃除去装置。
【請求項５】
前記スライダ２０と第１滑り溝２５の大きさが相互に嵌合可能であり、前記第２滑り溝２
７と引戸２８のの大きさが相互に嵌合可能であり、前記センシングボタン２６とシリンダ
１９とが電気接続されていることを特徴とする請求項１に記載の空気浄化器のための塵埃
除去装置。
【請求項６】
前記ストッパリング１６の内径とフィルタエレメント１８の外径とが相互に嵌合可能であ
り、前記保持台１７と支持フレーム１５とが固定接続されていることを特徴とする請求項
１に記載の空気浄化器のための塵埃除去装置。
【請求項７】
前記集塵ダクト２３が滑り板２０およびハウジング１を貫通して集塵箱２４に接続されて
いることを特徴とする請求項１に記載の空気浄化器のための塵埃除去装置。
【考案の詳細な説明】
【技術分野】
【０００１】
本実用新案は、空気浄化機の技術分野に関するもので、特に、空気浄化器のための塵埃除
去装置に関する。
【従来の技術】
【０００２】
空気浄化器は、また「空気清浄器」や、「エアクリーナー」、「浄化器」などもいう。各
種の空気汚染物を吸着、分解、転化して、空気の清浄度を確実的に向上することが可能な
家電製品である。ユーザにクリーンかつ安全なエアを提供するために、空気浄化器は、様
々なテクニックを適用し、各種類の媒介物を使うものがある。ところが、長期間使用にわ
たって空気浄化器の濾過網とフィルタエレメント上で、大量の塵埃が付着するはずである
。それが原因で浄化の効率が低下する。これに対しては、従来の空気浄化器で濾過網とフ
ィルタエレメントを交換して浄化効率を保証することが一般的である。しかし、今現在の
濾過網・フィルタエレメントのセットの交換費用は、たぶん数百元ないしは数千元以上と
高額であり得、コストが高い。また、濾過網を水洗する提案も提出されるが、水洗後で別
途に干すなどが必要であり、直ちに再び使用できない。それだけでなく、フィルタエレメ
ントの場合、水洗いができなく、もし水洗いにされたらフィルタエレメントの損害や損壊
に至るものとなる。したがって、各種の濾過網とフィルタエレメントをみんな洗浄するこ
とが可能な装置が望まれている。
【考案の概要】
【０００３】
上記の問題を解決するために、下記の塵埃除去装置を提供する。
ハウジング１を含み、前記ハウジング１の一側に作動溝２が開設され、前記作動溝２の
内壁の中部に隔離板３が固定接続され、前記隔離板３の一側に載物台４が固定接続され、
前記載物台４の一側に漏水孔５が開設され、前記載物台４の一側に導流溝６が固定接続さ
れ、前記導流溝６の出口位置に出水管７が固定接続され、前記ハウジング１の内壁の頂部
に複数個の乾燥ランプ８が設置され、前記ハウジング１の内壁の頂部に噴出ヘッド９が固
定接続され、前記噴出ヘッド９の進水口位置に進水管１０が固定接続され、前記載物台４
における導流溝６と反対側の一側に濾過網１１が設置されており、前記ハウジング１の一
側に支持板１２が固定接続され、前記支持板１２におけるハウジング１寄りの一側にモー
タ１３が固定接続され、前記モータ１３の出力端に回転盤１４が固定接続され、前記回転
盤１４におけるモータ１３と反対側の一側に支持フレーム１５が固定接続され、前記支持
フレーム１５における回転盤１４と反対側の一端にストッパリング１６が固定接続され、
前記ストッパリング１６の下方に保持台１７が設置され、前記ストッパリング１６の内壁
にフィルタエレメント１８が挿接されており、前記ハウジング１の一側にシリンダ１９が
固定接続され、前記シリンダ１９の出力端に滑り板２０が固定接続され、前記滑り板２０
の対称の両側にそれぞれスライダ２１が固定接続され、前記滑り板２０におけるシリンダ
１９と反対側の一側に集塵ヘッド２２が固定接続され、前記集塵ヘッド２２の集塵口端に
集塵ダクト２３が固定接続され、前記集塵ダクト２３における集塵ヘッド２２と反対側の
一端に集塵箱２４が固定接続され、前記ハウジング１の内壁および隔離板３における載物
台４と反対側の一側にそれぞれ第１滑り溝２５が開設され、前記第１滑り溝２５の内壁の
頂部および底部にそれぞれセンシングボタン２６が設置されている、空気浄化器のための
塵埃除去装置である。
好ましくは、前記ハウジング１内部の頂部および底部にそれぞれ相互に位置対応する第
２滑り溝２７が開設され、前記第２滑り溝２７の内壁にそれぞれ引戸２８が滑動可能に接
続され、前記ハウジング１の一側に支持脚２９が固定接続され、前記集塵箱２４の一側に
蓄塵箱３０が固定接続されている。
好ましくは、前記回転盤１３は作動溝２の内部に位置されており、複数個の前記乾燥ラ
ンプ８は均一にハウジング１の内壁の頂部に配布されている。
好ましくは、前記集塵ヘッド２２とストッパリング１６とフィルタエレメント１８の円
心位置が相互に一致し、前記集塵ヘッド２２の直径がフィルタエレメント１８の内径より
小さくする。
好ましくは、前記スライダ２０と第１滑り溝２５の大きさが相互に嵌合可能であり、前
記第２滑り溝２７と引戸２８のの大きさが相互に嵌合可能であり、前記センシングボタン
２６とシリンダ１９とが電気接続されている。
好ましくは、前記ストッパリング１６の内径とフィルタエレメント１８の外径とが相互
に嵌合可能であり、前記保持台１７と支持フレーム１５とが固定接続されている。
好ましくは、前記集塵ダクト２３が滑り板２０およびハウジング１を貫通して集塵箱２
ことを特徴とする請求項１に記載の空気浄化器のための塵埃除去装置。
【０００４】
本実用新案にかかる空気浄化器のための塵埃除去装置は、以下の利点を有する。
（１）本塵埃除去装置は、前記載物台、漏水孔、導流溝、出水管、乾燥ランプ、噴出ヘッ
ド、進水および濾過網の相互関連設置によって、前記進水管を蛇口に接して、前記噴出ヘ
ッドによって濾過網を洗浄して、前記出水管を下水道に接して、排水を前記出水管から流
出する。この洗浄動作が終わると、複数個の前記乾燥ランプを起動して濾過網を乾燥する
。このようにすれば、水洗後に濾過網を日に干す手間を省略させることができ、濾過網を
洗浄後に直ちに使用を開始できるという効果を達成する。
【０００５】
（２）本塵埃除去装置は、モータ、回転盤、支持フレーム、ストッパリング、保持台、フ
ィルタエレメント、シリンダ、滑り板、スライダ、集塵ヘッド、集塵ダクト、集塵箱、第
１滑り溝とセンシングボタンの相互関連設置で、前記モータを起動して前記回転盤を回転
駆動して、前記フィルタエレメントも保持台上で連動し回転する。前記シリンダを起動し
て滑り板を下移駆動して、前記フィルタエレメントの内部にすべり込んで集塵を実行する
。前記第１滑り溝の底部のセンシングボタンにスライダが当たると、該シリンダが収縮し
て上移する。前記第１滑り溝の頂部のセンシングボタンにスライダが当たると、該シリン
ダが伸出して下移する。このように繰り返して、フィルタエレメントを洗浄できるととも
に、洗浄効果が良好となるという効果を達成することができる。また、本空気浄化器のた
めの塵埃除去装置によっては、フィルタエレメントと濾過網を頻繁に交換する必要がなく
、コストの節約面も効果が際立つ。
【図面の簡単な説明】
【０００６】
【図１】本実用新案の構成模式図。
【図２】本実用新案の内部の第１視角の構成模式図。
【図３】本実用新案の内部の第２視角の構成模式図。
【図４】本実用新案の内部の第１視角の構成模式図。
【図５】本実用新案の図２のＡ部における構成拡大模式図。
【考案を実施するための形態】
【０００７】
以下、図面とともに、本実施形態を説明する。
図１〜図５に示されるように、本空気浄化器のための塵埃除去装置は、ハウジング１を含
み、ハウジング１の一側に作動溝２が開設され、作動溝２の内壁の中部に隔離板３が固定
接続され、隔離板３の一側に載物台４が固定接続され、載物台４の一側に漏水孔５が開設
され、載物台４の一側に導流溝６が固定接続され、導流溝６の出口位置に出水管７が固定
接続され、ハウジング１の内壁の頂部に複数個の乾燥ランプ８が設置され、ハウジング１
の内壁の頂部に噴出ヘッド９が固定接続され、噴出ヘッド９の進水口位置に進水管１０が
固定接続され、載物台４における導流溝６と反対側の一側に濾過網１１が設置されている
。このように構成して、載物台４、漏水孔５、導流溝６、出水管７、乾燥ランプ８、噴出
ヘッド９、進水管１０および濾過網１１の相互関連設置では、進水管１０を蛇口に接して
、噴出ヘッド９によって濾過網１１を洗浄する。また出水管７を下水道に接して、排水を
出水管７から流出する。洗浄が終了すると、複数個の乾燥ランプ８を起動して濾過網を乾
燥する。これによって、水洗後に濾過網を日に干す手間を省略させる。濾過網の洗浄後直
ちに使用を開始できるという効果を達成する。
【０００８】
一実施形態として、ハウジング１の一側に支持板１２が固定接続され、支持板１２におけ
るハウジング１寄りの一側にモータ１３が固定接続され、モータ１３の出力端に回転盤１
４が固定接続され、回転盤１４におけるモータ１３と反対側の一側に支持フレーム１５が
固定接続され、支持フレーム１５における回転盤１４と反対側の一端にストッパリング１
６が固定接続され、ストッパリング１６の下方に保持台１７が設置され、ストッパリング
１６の内壁にフィルタエレメント１８が挿接されている。
【０００９】
一実施形態として、ハウジング１の一側にシリンダ１９が固定接続され、シリンダ１９の
出力端に滑り板２０が固定接続され、滑り板２０の対称の両側にそれぞれスライダ２１が
固定接続され、滑り板２０におけるシリンダ１９と反対側の一側に集塵ヘッド２２が固定
接続され、集塵ヘッド２２の集塵口端に集塵ダクト２３が固定接続され、集塵ダクト２３
における集塵ヘッド２２と反対側の一端に集塵箱２４が固定接続され、ハウジング１の内
壁および隔離板３における載物台４と反対側の一側にそれぞれ第１滑り溝２５が開設され
、第１滑り溝２５の内壁の頂部および底部にそれぞれセンシングボタン２６が設置されて
いる。このように構成して、モータ１３、回転盤１４、支持フレーム１５、ストッパリン
グ１６、保持台１７、フィルタエレメント１８、シリンダ１９、滑り板２０、スライダ２
１、集塵ヘッド２２、集塵ダクト２３、集塵箱２４、第１滑り溝２５とセンシングボタン
２６の相互関連設置では、モータ１３を起動して回転盤１４を回転駆動して、フィルタエ
レメント１８も保持台１７上で連動回転する。シリンダ１９を起動して滑り板２０を下移
駆動して、フィルタエレメント１８の内部にすべり込んで集塵を実行する。スライダが第
１滑り溝２５の底部のセンシングボタン２６に当たると、シリンダ１６が収縮して上移す
る。第１滑り溝２５の頂部のセンシングボタン２６に当たると、シリンダ１６が伸出して
下移する。このように繰り返して、フィルタエレメントを洗浄できるとともに、洗浄効果
が良好であるという効果を達成する。またこの空気浄化器のための塵埃除去装置によって
、フィルタエレメントと濾過網を頻繁に交換する必要がなく、コストを節約するという効
果も達成できる。
【００１０】
一実施形態として、ハウジング１内部の頂部および底部にそれぞれ相互に位置対応する第
２滑り溝２７が開設され、第２滑り溝２７の内壁にそれぞれ引戸２８が滑動可能に接続さ
れ、ハウジング１の一側に支持脚２９が固定接続され、集塵箱２４の一側に蓄塵箱３０が
固定接続されている。
【００１１】
一実施形態として、回転盤１３は作動溝２の内部に位置されており、複数個の乾燥ランプ
８は均一にハウジング１の内壁の頂部に配布されている。
【００１２】
一実施形態として、集塵ヘッド２２とストッパリング１６とフィルタエレメント１８の円
心位置が相互に一致し、集塵ヘッド２２の直径がフィルタエレメント１８の内径より小さ
くする。
スライダ２０と第１滑り溝２５の大きさが相互に嵌合可能であり、第２滑り溝２７と引戸
２８のの大きさが相互に嵌合可能であり、センシングボタン２６とシリンダ１９とが電気
接続されている。
【００１３】
一実施形態として、ストッパリング１６の内径とフィルタエレメント１８の外径とが相互
に嵌合可能であり、保持台１７と支持フレーム１５とが固定接続されている。
【００１４】
一実施形態として、集塵ダクト２３が滑り板２０およびハウジング１を貫通して集塵箱２
４に接続されている。
＜本実用新案の動作原理＞
【００１５】
濾過網１１を載物台４に配置して、進水管１０を蛇口に接して、噴出ヘッド９によって濾
過網１１を洗浄するとともに、出水管７を下水道に接して、排水を出水管７から流出する
。洗浄が終わると、複数個の乾燥ランプ８を起動して濾過網を乾燥させることができる。
またフィルタエレメント１８を保持台１７に配置してストッパリング１６によって固定し
て、モータ１３を起動して、回転盤１４を回転駆動することで、フィルタエレメント１８
も保持台１７上で連動回転するとともに、シリンダ１９を起動して滑り板２０を駆動して
下移させて、フィルタエレメント１８の内部に入って集塵を実行することもできる。その
場合、スライダが第１滑り溝２５の底部のセンシングボタン２６に当たると、シリンダ１
６が収縮して上移する。第１滑り溝２５の頂部のセンシングボタン２６に当たると、シリ
ンダ１６が伸出して下移する。このように繰り返して、フィルタエレメントの洗浄が完了
するまで循環する。
【００１６】
以上をまとめると、載物台４、漏水孔５、導流溝６、出水管７、乾燥ランプ８、噴出ヘッ
ド９、進水管１０および濾過網１１の相互関連設置であれば、進水管１０を蛇口に接して
、噴出ヘッド９によって濾過網１１を洗浄する。また出水管７を下水道に接して、排水を
出水管７から流出する。洗浄が終わると、複数個の乾燥ランプ８を起動して濾過網を乾燥
させる。これによって、濾過網の水洗後に日に干す手間を省略させる。濾過網の洗浄後直
ちに使用を開始できるという効果を達成する。モータ１３、回転盤１４、支持フレーム１
５、ストッパリング１６、保持台１７、フィルタエレメント１８、シリンダ１９、滑り板
２０、スライダ２１、集塵ヘッド２２、集塵ダクト２３、集塵箱２４、第１滑り溝２５と
センシングボタン２６の相互関連設置であれば、モータ１３を起動して回転盤１４を回転
駆動することで、フィルタエレメント１８も保持台１７上で連動回転する。シリンダ１９
を起動して滑り板２０を駆動して下移させて、フィルタエレメント１８の内部に入って集
塵を実行する。スライダが第１滑り溝２５の底部のセンシングボタン２６に当たると、シ
リンダ１６が収縮して上移する。第１滑り溝２５の頂部のセンシングボタン２６に当たる
と、シリンダ１６が伸出して下移する。このように繰り返して、フィルタエレメントを洗
浄することができるとともに、洗浄効果が良好であるという効果を達成する。またこの空
気浄化器のための塵埃除去装置によっては、フィルタエレメントと濾過網を頻繁に交換す
る必要がなく、コストを節約するという効果も達成できる。
【００１７】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１８】
１    ハウジング
２    作動溝
３    隔離板
４    載物台
５    漏水孔
６    導流溝
７    出水管
８    乾燥ランプ
９    噴出ヘッド
１０    進水管
１１    濾過網
１２    支持板
１３    モータ
１４    回転盤
１５    支持フレーム
１６    ストッパリング
１７    保持台
１８    フィルタエレメント
１９    シリンダ
２０    滑り板
２１    スライダ
２２    集塵ヘッド
２３    集塵ダクト
２４    集塵箱
２５    第１滑り溝
２６    センシングボタン
２７    第２滑り溝
２８    引戸
２９    支持脚
３０    支持脚
【図１】
0003230051.tif 000003
【図２】
0003230051.tif 000004
【図３】
0003230051.tif 000005
【図４】
0003230051.tif 000006
【図５】
0003230051.tif 000007
【手続補正書】
【提出日】令和2年10月22日(2020.10.22)
【手続補正１】
【補正対象書類名】実用新案登録請求の範囲
【補正対象項目名】全文
【補正方法】変更
【補正の内容】
【実用新案登録請求の範囲】
【請求項１】
ハウジングを含み、前記ハウジングの一側に作動溝が開設され、前記作動溝の内壁の中部
に隔離板が固定接続され、前記隔離板の一側に載物台が固定接続され、前記載物台の一側
に漏水孔が開設され、前記載物台の一側に導流溝が固定接続され、前記導流溝の出口位置
に出水管が固定接続され、前記ハウジングの内壁の頂部に複数個の乾燥ランプが設置され
、前記ハウジングの内壁の頂部に噴出ヘッドが固定接続され、前記噴出ヘッドの進水口位
置に進水管が固定接続され、前記載物台における導流溝と反対側の一側に濾過網が設置さ
れており、
前記ハウジングの一側に支持板が固定接続され、前記支持板におけるハウジング寄りの一
側にモータが固定接続され、前記モータの出力端に回転盤が固定接続され、前記回転盤に
おけるモータと反対側の一側に支持フレームが固定接続され、前記支持フレームにおける
回転盤と反対側の一端にストッパリングが固定接続され、前記ストッパリングの下方に保
持台が設置され、前記ストッパリングの内壁にフィルタエレメントが挿接されており、
前記ハウジングの一側にシリンダが固定接続され、前記シリンダの出力端に滑り板が固定
接続され、前記滑り板の対称の両側にそれぞれスライダが固定接続され、前記滑り板にお
けるシリンダと反対側の一側に集塵ヘッドが固定接続され、前記集塵ヘッドの集塵口端に
集塵ダクトが固定接続され、前記集塵ダクトにおける集塵ヘッドと反対側の一端に集塵箱
が固定接続され、前記ハウジングの内壁および隔離板における載物台と反対側の一側にそ
れぞれ第１滑り溝が開設され、前記第１滑り溝の内壁の頂部および底部にそれぞれセンシ
ングボタンが設置されている、ことを特徴とする空気浄化器のための塵埃除去装置。
【請求項２】
前記ハウジング内部の頂部および底部にそれぞれ相互に位置対応する第２滑り溝が開設さ
れ、前記第２滑り溝の内壁にそれぞれ引戸が滑動可能に接続され、前記ハウジングの一側
に支持脚が固定接続され、前記集塵箱の一側に蓄塵箱が固定接続されていることを特徴と
する請求項１に記載の空気浄化器のための塵埃除去装置。
【請求項３】
前記回転盤は作動溝の内部に位置されており、複数個の前記乾燥ランプは均一にハウジン
グの内壁の頂部に配布されていることを特徴とする請求項１に記載の空気浄化器のための
塵埃除去装置。
【請求項４】
前記集塵ヘッドとストッパリングとフィルタエレメントの円心位置が相互に一致し、前記
集塵ヘッドの直径がフィルタエレメントの内径より小さくすることを特徴とする請求項１
に記載の空気浄化器のための塵埃除去装置。
【請求項５】
前記スライダと第１滑り溝の大きさが相互に嵌合可能であり、前記第２滑り溝と引戸の大
きさが相互に嵌合可能であり、前記センシングボタンとシリンダとが電気接続されている
ことを特徴とする請求項２に記載の空気浄化器のための塵埃除去装置。
【請求項６】
前記ストッパリングの内径とフィルタエレメントの外径とが相互に嵌合可能であり、前記
保持台と支持フレームとが固定接続されていることを特徴とする請求項１に記載の空気浄
化器のための塵埃除去装置。
【請求項７】
前記集塵ダクトが滑り板およびハウジングを貫通して集塵箱に接続されていることを特徴
とする請求項１に記載の空気浄化器のための塵埃除去装置。